(57)【要約】      （修正有）【課題】記録紙カセットを所定位置に装着した時に、オペレータに対して装着感を与えることの可能な記録装置を提供する。【解決手段】記録紙カセットの支軸ピンを設けた側の側面が挿入された位置に、前記支軸ピンを案内するガイドレール４３を設けておき、そのガイドレールが前記記録紙カセットを所定位置に挿入するまで前記支軸を低い位置に拘束する第一案内面４３ａと、所定位置に挿入された記録紙カセットの支軸ピンの上昇を許容するが記録カセットの抜け止めを図ることができるよう前記第一案内面の奥にほぼ直角に上方に延びるよう形勢された第二案内面４３ｂを有し、第一案内面と第二案内面との接続部分を下方及び後方に凸状の湾曲面を形成したものである。【選択図】図１０
2006206329.tif 000002
【特許請求の範囲】
【請求項１】
記録紙カセットと、その記録紙カセットを出し入れ可能なカセット収納部を備えた装置本体とを有する記録装置であって、前記記録紙カセットは、収容した記録紙を支持して上下に揺動可能な底板と、その底板を介して記録紙を押し上げるように作用するばねと、側面から突出するように且つ上下動可能に設けられ、下方に押し下げた時には前記底板上の記録紙を記録紙カセットの着脱に干渉しない位置に拘束する支軸ピンを有しており、前記装置本体は、前記記録紙カセットの支軸ピンを設けた側の側面が挿入される位置に、前記支軸ピンを案内するように設けられたガイドレールを有しており、そのガイドレールが、前記記録紙カセットを所定位置に挿入するまで前記支軸ピンを低い位置に拘束する第一案内面と、所定位置に挿入れた記録紙カセットの支軸ピンの上昇を許容するが記録紙カセットの抜け止めを図ることができるよう前記第一案内面の奥にほぼ直角に上方に延びるよう形成された第二案内面を有し、この第一案内面と第二案内面との接続部分が下方及び後方に凸状の湾曲面を形成していることを特徴とする記録装置。
【発明の詳細な説明】
【技術分野】
【０００１】
本発明は、ファクシミリ、複写機、プリンター等の記録装置に関し、特に記録紙としてＡ４、Ｂ４等の定形サイズのカット紙を使用し且つその記録紙をセットするために記録紙カセットを用いた形式の記録装置に関する。
【背景技術】
【０００２】
従来、図１２に示すように、記録紙カセット１と、その記録紙カセット１を出し入れ可能なカセット収納部を備えた装置本体２とを有するファクシミリ装置、プリンター等の記録装置が用いられている。この記録紙カセット１には、内部に収容した記録紙（図示せず）を支持して上下に揺動可能な底板３と、その底板３を押し上げるばね（図示せず）が設けられており、記録紙カセット１を装置本体２内の所定位置に装着した状態においては、前記ばねが底板３を介して記録紙を押し上げ、記録紙上面を装置本体２内の定位置に設けられている給紙ローラに押し付けるようになっている。
【０００３】
この形式の記録紙カセットでは、記録紙カセット１を装置本体２から引き出す際に底板３で持ち上げられている記録紙を給紙ローラから離すことが必要である。このため、底板３の下側に上下動可能に操作板（図示せず）を設けると共に、その操作板に、収納した記録紙の両側で且つ記録紙の上方に位置するように記録紙押下げ用爪４を取り付け、更に、記録紙カセット１の前部に操作レバーを設けると共にそれをリンク機構を介して前記操作板に連結しておき、その操作レバーを手前に引くことにより操作板をリンク機構を介して押し下げ、記録紙の上面を爪４で押し下げて給紙ローラから下方に離していた。また、記録紙カセットを装置本体に挿入する際に記録紙を低い位置に保持し、給紙ローラ等にぶつからないようにするため、記録紙カセット１の側面に支軸ピン５を上下動可能に突出させ、その支軸ピン５を記録紙押下げ用爪４を保持した操作板に連動して上下動する構成とすると共に、装置本体側には、記録紙カセット１の支軸ピン５を設けた側の側面に向い合った位置に、支軸ピン５を案内するガイドレール６（図１３参照）を設けていた。このガイドレール６は、図１３、図１４から良く分かるように、記録紙カセット１を所定位置に挿入するまで支軸ピン５を低い位置に拘束する第一案内面６ａと、所定位置に挿入れた記録紙カセット１の支軸ピン５の上昇を許容するが記録紙カセットの抜け止めを図ることができるよう第一案内面６ａの奥にほぼ直角に上方に延びるよう形成された第二案内面６ｂを有しており、且つ第一案内面６ａの入口部分は傾斜させていた。
【０００４】
そしてこの構成により、記録紙カセット１を装置本体のカセット収納部に押し込めば、図１３（ｂ）に示すように、自動的に支軸ピン５が第一案内面６ａの先端の傾斜した部分に沿って押し下げられ、それに連動して記録紙の上面が引き下げられ、その後は支軸ピン５が水平な第一案内面６ａに沿って移動し、記録紙上面が低い位置に保持された状態で記録紙カセットが挿入され、所定位置まで挿入されると、支軸ピン５が第一案内面６ａの拘束を外れることにより、記録紙が底板で押し上げられ、給紙ローラに押し付けられ、支軸ピン５は図１３（ａ）に示すように、第二案内面５ｂに沿った位置に上昇する。そして、この状態となると、図１４（Ａ）、（ａ）に示すように、支軸ピン５が第二案内面６ｂに沿った位置にあるため、その状態で記録紙カセットを引き抜こうとしても、支軸ピン５が第二案内面６ｂにぶつかって抜けることがなく、従って不用意に記録紙カセットが抜けることがない。なお、記録紙カセットを引き抜く場合には、図１２に示す記録紙カセット１の前部に設けている操作レバーを引いて、操作板及びそれに取り付けている記録紙押下げ用爪４を引き下げ、それに連れて支軸ピン５を図１４（Ｂ）、（ｂ）に示すように第二案内面６ｂに沿って引き下げ、第一案内面６ａの下に案内することにより、支障なく記録紙カセットを引き抜くことができる。
【０００５】
ここで、通常、ガイドレール６は樹脂成形品で作られており、成形を容易とするため及び計量化を図るため、案内面６ａ、６ｂは適当な高さのリブの外面に形成されており、そのリブの内側には凹部７が形成されていた。
【発明の開示】
【発明が解決しようとする課題】
【０００６】
しかし、かかる従来の構成では、次のような問題点があった。
【０００７】
１）記録紙カセット１を装置本体２の所定位置に装着した状態では、図１４（Ａ）、（ａ）に示すように、支軸ピン５が第二案内面６ｂに面する位置にあり、支軸ピン５を引き下げることなく記録紙カセット１を引き抜こうとした時には、この支軸ピン５が第二案内面６ｂに突き当たって動きを阻止される構成であるが、オペレータが間違って強引に記録紙カセット１を引き抜こうとすることがあり、その場合、第二案内面６ｂを形成するリブがたわんで支軸ピン５がその第二案内面６ｂを乗り越えて、図１４（Ｃ）、（ｃ）に示すように凹部７内に入ってしまい、機能障害を起こしていた。これを防止するには、ガイドレールの強度を上げることが考えられるが、その場合には支軸ピン５及びそれを保持した部品の破損やガイドレールを取り付けた部品の破損が発生し、好ましくない。
【０００８】
２）引出しタイプの記録紙カセットでは、装置本体に対する定位置への装着の確認はオペレータの感覚によってのみ判断せざるを得ず、このため、装置本体に対する装着不良となる場合があった。
【０００９】
３）記録紙の上面を押し下げるための記録紙押下げ用爪４を、底板３の下にほぼ水平に配置した操作板に取り付け、その操作板を操作レバーや支軸ピンに連動させて上下動させる構成としているが、水平に配置した操作板は上下方向の剛性が低いため、記録紙押下げ用爪４を下降させて記録紙を押し下げるための必要な強度を確保するためには、その操作板として強度の大きい板金を使用せざるを得ず且つその厚さも厚くなり、そのため重くなると共にコスト的にも不利となっていた。
【００１０】
本発明は、上述の問題点に鑑みて為されたもので、記録紙カセットを所定位置に装着した時に、オペレータに対して装着感を与えることの可能な記録装置を提供することにある。
【課題を解決するための手段】
【００１１】
本発明は、記録紙カセットの支軸ピンを操作するように設けているガイドレールの第一案内面と第二案内面との接続部分を下方及び後方に凸状の湾曲面としたものである。
【発明の効果】
【００１２】
本発明に係る記録装置によれば、記録紙カセットが装着位置に達した時に、記録紙カセットが一旦下方に案内され、次いで上方に案内されるような動きをするため、オペレータに記録紙カセットの所定位置への装着感を与えることができる。
【発明を実施するための最良の形態】
【００１３】
本発明の態様に係る記録装置は、記録紙カセットと、その記録紙カセットを出し入れ可能なカセット収納部を備えた装置本体とを有する記録装置において、前記記録紙カセットを、収容した記録紙を支持して上下に揺動可能な底板と、その底板を介して記録紙を押し上げるように作用するばねと、側面から突出するように且つ上下動可能に設けられ、下方に押し下げた時には前記底板上の記録紙を記録紙カセットの着脱に干渉しない位置に拘束する支軸ピンを有する構成とし、且つ前記装置本体には、前記記録紙カセットの支軸ピンを設けた側の側面が挿入される位置に、前記支軸ピンを案内するようにガイドレールを設
けておき、更に、そのガイドレールが、前記記録紙カセットを所定位置に挿入するまで前記支軸を低い位置に拘束する第一案内面と、所定位置に挿入れた記録紙カセットの支軸ピンの上昇を許容するが記録紙カセットの抜け止めを図ることができるよう前記第一案内面の奥にほぼ直角に上方に延びるよう形成された第二案内面を有し、この第一案内面と第二案内面との接続部分に下方及び後方に凸状の湾曲面を形成した構成としたものである。
【００１４】
これによれば、記録紙カセットの装着時に支軸ピンを第一案内面で拘束することにより、記録紙カセットを記録紙上面を低い位置に押えた状態で装置本体内の所定位置に挿入でき、また、所定位置への挿入後は、支軸ピンが第二案内面に対向する位置を占めることで記録紙カセットの抜け止めを図ることができる。更に、本発明では、記録紙カセットの装置動作時において、その記録紙カセットが所定の装着位置に達した時には、支軸ピンが凸状の湾曲面で案内されることにより、記録紙カセットが一旦下方に案内され、次いで上方に案内されるような動きをすることとなり、オペレータに記録紙カセットの所定位置への装着感を与えることができる。
【００１５】
図１は本発明の一実施例による記録装置（具体的にはファシミリ装置）を示す概略斜視図であり、１１は記録紙カセット、１２はその記録紙カセット１１を出し入れ可能なカセット収納部を備えた装置本体である。図２はその記録紙カセット１１を、一部を破断して示す概略平面図、図３（ａ）、（ｂ）及び図４はその記録紙カセット１１をそれぞれ異なる状態で且つ図２の矢印Ａ−Ａ方向に見た概略断面図であり、図面を分かりやすくするため一部部品を省略している。図５はその記録紙カセット１１を図２の矢印Ｂ−Ｂ方向に見た概略断面図、図６（ａ）、（ｂ）はそれぞれ、記録紙カセット１１を図５の矢印Ｃ−Ｃ方向及び、矢印Ｄ−Ｄ方向に見た概略断面図、図７は図５と同じ部分を異なる作動状態で示す概略断面図、図８（ａ）、（ｂ）はそれぞれ、記録紙カセット１１を図７の矢印Ｅ−Ｅ方向及び、矢印Ｆ−Ｆ方向に見た概略断面図である。
【００１６】
図１〜図８において、１３は、上端を開いた箱状のカセット本体、１４はカセット本体１３内に収容した記録紙、１５はその記録紙１４を支持して上下に揺動可能な底板である。本実施例の記録紙カセット１１は、記録装置に対する出し入れ方向に対して直角方向に記録紙１４を繰り出す形式のものであり、従って、底板１５はカセット本体１３の前後方向に延びる軸線を中心として揺動可能に設けられている。この底板１５の下にはばね（図示せず）が配置され、その底板１５を介して記録紙１４を押し上げるように作用している。１７は、記録紙の繰出側の側面近傍に且つ斜め方向に移動可能に設けられたさばきパット、１８はそのさばきパット１７を押し上げるばねである。この構成により、記録紙カセット１１を装置本体１２内の所定位置にセットした状態では、図４に示すように、装置本体１２に設けている給紙ローラ１９に対して記録紙１４の先端上面とさばきパット１７が押し付けられ、給紙ローラ１９の回転により、最上部の記録紙１４のみを分離して給紙することができる。
【００１７】
図１〜図８において、２１は、底板１５上に保持される記録紙の両側に位置するように且つ上下に揺動可能に設けられた記録紙押下げ用レバーであり、上端に記録紙１４の最上面に係合しうる爪２１ａを、下端に連結片２１ｂを有している。２２は記録紙１４の幅方向の位置を規制するサイドガイドである。２４は、カセット本体１３の記録紙繰出側の側面近傍に上下動可能に設けられたスライドプレートである。このスライドプレート２４は、板状のものを幅方向が垂直となるように配置したものであり、その両端の下部に連結部２４ａが記録紙押下げ用レバー２１に向かって突出するように設けており、その連結部２４ａに形成している溝内に記録紙押下げ用レバー２１の連結片２１ｂを挿入させている。かくして、スライドプレート２４は一対の記録紙押下げ用レバー２１と一緒に上下動することができる。また、スライドプレート２４はそのほぼ中央に爪２４ｃを有しており、図３（ｂ）に示すように、スライドプレート２４が下降した時、その爪２４ｃがさばきパッ
ト１７に形成している爪１７ａに引っ掛かって、そのさばきパット１７を押し下げるようになっている。
【００１８】
２６は、カセット本体１３の側面から外部に突出するように設けられ、スライドプレート２４と連動して上下動する支軸ピン、２７は、支軸ピン２６が上下動するのを許容するようにカセット本体１３の側面に形成された長穴、２８は、カセット本体１３の前部に設けられた操作レバーである。この操作レバー２８は両端の支軸２８ａを中心とし回動可能に取り付けられている。３０はその操作レバー２８の回動によりスライドプレート２４を上下動させるリンク機構である。
【００１９】
このリンク機構３０は、操作レバー２８にピン３１によって連結されたアーム３２と、そのアーム３２にそれぞれピン３３Ａ、３３Ｂを介して連結された一対のスライドアーム３４Ａ、３４Ｂを有している。この一対のスライドアーム３４Ａ、３４Ｂはそれぞれ、支点ピン３５Ａ、３５Ｂによってカセット本体１３の側面に回動可能に保持されている。なお、スライドプレート２４にはスライドプレート２４が支点ピン３５Ａ、３５Ｂに干渉することなく上下動しうるように、垂直方向の長穴３６Ａ、３６Ｂが形成されている。一対のスライドアーム３４Ａ、３４Ｂは、更に支軸ピン２６、３８を保持しており、一方、スライドプレート２４は、その支軸ピン２６、３８を挿入させる水平な長穴３９Ａ、３９Ｂを有している。かくして、スライドプレート２４は支軸ピン２６、２８と一緒に上下動することができる。一方の支軸ピン２６は、前記したようにカセット本体１３の側面から外部に突出している。アーム３２の後端には引張りばね４０が連結され、アーム３２を後方に引っ張った状態（図６に示す状態）に保持している。
【００２０】
この構成により、操作レバー２８を離した状態では、アーム３２は図６に示す位置を占め、それによってスライドプレート２４は上方に位置しているが、操作レバー２８を手前に引くと、図８に示すように、アーム３２が前方に引っ張られ、それに伴って一対のスライドアーム３４Ａ、３４Ｂが支点ピン３５Ａ、３５Ｂを中心として反時計方向に回動し、それに保持している支軸ピン２６、３８が下方に移動してスライドプレート２４を下方に移動させることができ、そのスライドプレート２４は、一対の記録紙押下げ用レバー２１を介して記録紙１４を押し下げ、また、爪２４ｃを介してさばきパット１７をばねによる押圧力に抗して押し下げることができる。ここで、スライドプレート２４は下降した時に記録紙１４及びさばきパット１７を押し下げるため、上下方向に剛性を必要とするが、上下方向には高さの高い形状としているので、樹脂成形品を用いても大きい剛性を確保でき、このため、本実施例では樹脂の成形品を使用している。これにより、軽量化及びコストダウンが図られる。
【００２１】
スライドプレート２４が上下動する範囲としては、操作レバー２８を離し、スライドプレート２４が上方位置となった時には、図４に示すように、記録紙１４の上面及びさばきパット１７が支障なく給紙ローラ１９に押し付けられ（この時記録紙押下げ用レバー２１の爪２１ａは記録紙１４よりも上方に離れている）が、操作レバー２８の操作によってスライドプレート２４を押し下げた時には、図３（ｂ）に示すように、記録紙１４とさばきパット１７が共に下方に、給紙ローラ１９（図４参照）に接触しない位置に押し下げられ、記録紙カセット１１を装置本体に着脱する作業に支障を生じないように定められている。
【００２２】
次に、この記録紙カセット１１を収納する装置本体１２のカセット収納部には、図９に示すように、記録紙カセット１１の支軸ピン２６を設けた側の側面が挿入される位置に、支軸ピン２６を案内するようにガイドレール４３が設けられている。このガイドレール４３は、記録紙カセット１１を所定位置に挿入するまでは支軸ピン２６を低い位置に拘束する第一案内面４３ａと、所定位置に挿入れた記録紙カセットの支軸ピン１１の上昇を許容
するが記録紙カセットの抜け止めを図ることができるよう前記第一案内面の奥にほぼ直角に上方に延びるよう形成された第二案内面４３ｂを有しており、図１０、図１１に拡大して示すように、この第一案内面４３ａと第二案内面４３ｂとの接続部分には下方及び後方に凸状の湾曲面４３ｃを形成している。更に、その第二案内面４３ｂに隣接した領域は他の領域に設けている第一案内面４３ａよりも低く形成され、その位置に支軸ピン２６の先端を支持して滑動させることの可能な支持面４３ｄを形成すると共にその支持面４３ｄに接する位置に第一案内面４３ａにつながるように斜め方向の第三案内面４３ｅを形成している。この第三案内面４３ｅは、記録紙カセットの引き抜き時に支持面４３ｄの上を支軸ピン２６が滑って移動して来た時にその支軸ピン２６を第一案内面４３ａに案内するように形成されている。なお、ここで支持面４３ｄは、支軸ピン２６の先端を支持して滑らすことができる構成のものであれば任意であり、単に平坦な面であってもよいし、多数の溝や穴等を備えたものであっても良いが、本実施例では、格子状のリブからなるメッシュ面で支持面４３ａを構成している。この構成の支持面４３ａは、多数のリブを形成することで肉厚の厚い部分を無くしたので、樹脂成形によって作る際の成形性が良く且つ軽量であるばかりでなく、支軸ピン２６の先端の滑動性が良いので、好ましい。
【００２３】
上記構成の記録装置及び記録紙カセット１１について、以下その動作を説明する。記録紙カセット１１を装置本体１２の外に引き出した状態では、図３（ａ）に示すように、底板１５及びさばきパット１７はそれぞればねによって押し上げられ、且つ図６に示すようにアーム３２はばね４０で後方に引き戻され、スライドプレート２４及び支軸ピン２６は上方位置を占めている。この状態で記録紙カセット１１を装置本体１２のカセット収納部に挿入してゆくと、図９（ｂ）に示すように、支軸ピン２６がガイドレール４３の第一案内面４３ａによって押し下げられ、下方位置に拘束された状態で記録紙カセット１１が挿入されてゆく。このため、スライドプレート２４は支軸ピン２６によって、図３（ｂ）に示す状態に押し下げられ、それに連れて、記録紙１４及びさばきパット１７も下方に押し下げた状態に保持される。そして、記録紙カセット１１が所定位置に挿入され、記録紙１４及びさばきパット１７が給紙ローラ１９の下に支障なく送り込まれると、図９（ａ）に示すように、支軸ピン２６がガイドレール４３の第一案内面４３ａの後端を通り過ぎ、第一案内面４３ａによる拘束が解除される。このため、図６に示すようにアーム３２がばね４０によって後方に引き戻され、スライドプレート２４は上方に移動し、記録紙１４及びさばきパット１７の拘束も解除される。かくして、図４に示すように、記録紙１４が底板１５で押し上げられ、給紙ローラ１９に押し付けられ、またさばきパット１７もばねによって押し上げられ、給紙ローラ１９に押し付けられ、給紙の準備が完了する。
【００２４】
この記録紙カセット挿入動作において、記録紙カセット１１が装着位置に達した時に、支軸ピン２６はガイドレール４３の後端の湾曲面４３ｃ（図１０参照）に沿って移動するため、支軸ピン２６が一旦下方に案内され、従って、記録紙カセット１１も一旦下方に案内され、次いで上方に案内されるような動きをする。これにより、オペレータは記録紙カセットが所定位置へ装着されたことを感じることができ、安心感を持つことができる。
【００２５】
記録紙カセット１１を装置本体１２に対する所定位置に装着した後は、支軸ピン２６は図９（ａ）及び図１１（ａ）に示すように、ガイドレール４３の第二案内面４３ｂに沿った位置を占めている。このため、記録紙カセット１１を不用意に引き抜こうとしても、支軸ピン２６が第二案内面４３ｂに突き当たるので、抜けることはない。記録紙カセット１１を引き抜く際には、図８に示すように、記録紙カセット１１の前部の操作レバー２８を手前に引き、アーム３２を手前に引くことで、スライドプレート２４を下降させ、記録紙１４及びさばきパット１７を給紙ローラ１９から離れた位置に引き下げる。すると同時に支軸ピン２６も下方に、第一案内面４３ａ（図９参照）で案内される位置まで移動するので、その状態で記録紙カセット１１を引き抜けばよい。
【００２６】
ところで、不慣れなオペレータが操作する場合、記録紙カセットの操作レバー２８を引かないで、記録紙カセット１１を引き抜こうとする場合がある。この場合、通常は、図１１（ａ）に示すように支軸ピン２６が第二案内面４３ｂに引っ掛かることで、抜け止めが図られているが、強引に引き抜こうとすると、その支軸ピン２６が第二案内面４３ｂを乗り越えてしまうことがある。しかしながら、この場合には、図１１（ｂ）に示すようにその第二案内面４３ｂに隣接した領域に、その第二案内面を乗り越えた支軸ピン２６の端面を支持して滑らすことの可能な支持面４３ｄがあるので、その支持面４３ｄの上を支軸ピン２６が滑って移動し、第三案内面４３ｅに突き当たり、その第三案内面４３ｅに沿って移動することで、図１１（ｃ）に示すように、第一案内面４３ａに戻される。かくして、支軸ピン２６及びそれに関連した部品やガイドレール４３等を破損することなく、記録紙カセット１１を引き抜くことができ、トラブルを回避できる。
【００２７】
なお、上記実施例では、さばきパット１７を備えた形式の記録紙カセット１１を用いているが、本発明はこの構成に限らず、さばきパットを備えていない形式の記録紙カセットにも適用可能であることは言うまでもない。
【産業上の利用可能性】
【００２８】
本発明に係る記録装置は、装置本体に、記録紙カセットの支軸ピンを操作するように設けているガイドレールの第一案内面と第二案内面との接続部分を下方及び後方に凸状の湾曲面としたことにより、記録紙カセットを装置本体に挿入し、それが所定の装着位置に達した時に、記録紙カセットが一旦下方に案内され、次いで上方に案内されるような動きをすることとなり、オペレータに記録紙カセットの所定位置への装着感を与えることができるということで有用である。
【図面の簡単な説明】
【００２９】
【図１】本発明の一実施例による記録装置の概略斜視図
【図２】図１に示す記録装置に用いている記録紙カセット１１を、一部を破断して示す概略平面図
【図３】（ａ）、（ｂ）は、図２に示す記録紙カセット１１をそれぞれ異なる状態で且つ図２の矢印Ａ−Ａ方向に見た概略断面図
【図４】図２に示す記録紙カセット１１を装置本体内に装着した状態で且つ図２の矢印Ａ−Ａ方向に見た概略断面図
【図５】図２に示す記録紙カセット１１を図２の矢印Ｂ−Ｂ方向に見た概略断面図
【図６】（ａ）、（ｂ）はそれぞれ、記録紙カセット１１を図５の矢印Ｃ−Ｃ方向及び、矢印Ｄ−Ｄ方向に見た概略断面図
【図７】図５と同じ部分を、図５とは異なる作動状態で示す概略断面図
【図８】（ａ）、（ｂ）はそれぞれ、記録紙カセット１１を図７の矢印Ｅ−Ｅ方向及び、矢印Ｆ−Ｆ方向に見た概略断面図
【図９】（ａ）、（ｂ）はそれぞれ、装置本体のカセット収納部側面に設けているガイドレールと記録紙カセットの支軸ピンとの位置関係を説明する概略側面図
【図１０】ガイドレールの端部の拡大正面図
【図１１】（ａ）、（ｂ）、（ｃ）はガイドレール端部での支軸ピンの移動を説明する概略斜視図
【図１２】従来の記録装置の概略斜視図
【図１３】（ａ）、（ｂ）はそれぞれ、従来の記録装置において、装置本体のカセット収納部側面に設けているガイドレールと記録紙カセットの支軸ピンとの位置関係を説明する概略側面図
【図１４】（Ａ）、（Ｂ）、（Ｃ）は従来の記録装置におけるガイドレール端部での支軸ピンの移動を説明する概略正面図  （ａ）、（ｂ）、（ｃ）はそれぞれ上記（Ａ）、（Ｂ）、（Ｃ）に対応する概略斜視図
【符号の説明】
【００３０】
１１  記録紙カセット
１２  装置本体
１３  カセット本体
１４  記録紙
１５  底板
１７  さばきパット
１８  ばね
１９  給紙ローラ
２１  記録紙押下げ用レバー
２１ａ  爪
２４  スライドプレート
２６  支軸ピン
２７  長穴
２８  操作レバー
３０  リンク機構
３２  アーム
３４Ａ、３４Ｂ  スライドアーム
３５Ａ、３５Ｂ  支点ピン
４０  引張りばね
４３  ガイドレール
４３ａ  第一案内面
４３ｂ  第二案内面
４３ｃ  湾曲面
４３ｄ  支持面
４３ｅ  第三案内面
【図１】
2006206329.tif 000003
【図２】
2006206329.tif 000004
【図３】
2006206329.tif 000005
【図４】
2006206329.tif 000006
【図５】
2006206329.tif 000007
【図６】
2006206329.tif 000008
【図７】
2006206329.tif 000009
【図８】
2006206329.tif 000010
【図９】
2006206329.tif 000011
【図１０】
2006206329.tif 000012
【図１１】
2006206329.tif 000013
【図１２】
2006206329.tif 000014
【図１３】
2006206329.tif 000015
【図１４】
2006206329.tif 000016